(57)【要約】【課題】扉厚を薄くし、かつ断熱性を維持しあるいは高めることができ、組立工程を簡素化でき、かつ真空断熱材を傷つけない断熱構造を備えた冷蔵庫扉を提供する。【解決手段】実施の形態の冷蔵庫扉１０１は、扉フレーム１１１と、扉フレームに取り付けられた前面板１１２と、扉フレーム内にその前面が前面板の裏面と対向するように配置された構造体１１７と、構造体の後面側に配置された平板状の真空断熱材１２６と、真空断熱材の前面と前面板の裏面と構造体の外側面とによって囲まれた空間に配置された成形断熱材１２１とを備えたものである。【選択図】      図１５
2020030044.tif 000002
【特許請求の範囲】
【請求項１】
扉フレームと、
前記扉フレームに取り付けられた前面板と、
前記扉フレーム内にその前面が前記前面板の裏面と対向するように配置された構造体と、
前記構造体の後面側に配置された第一断熱材と、
前記第一断熱材と前記構造体との間に配置された第二断熱材とを備え、
前記扉フレームの側面に前記構造体に連通する開口部を有することを特徴とする冷蔵庫扉。
【請求項２】
前記第二断熱材は、配置状態で前記第一断熱材の前面に対面する前記構造体の後側面が当該第一断熱材の前面に接触しない厚みにしたことを特徴とする請求項１に記載の冷蔵庫扉。
【請求項３】
前記第二断熱材は、前記第一断熱材と前記構造体との間に薄肉部を有することを特徴とする請求項１または２に記載の冷蔵庫扉。
【請求項４】
前記第二断熱材の裏面に前記第一断熱材の前面を接着したことを特徴とする請求項１から３のいずれか１項に記載の冷蔵庫扉。
【発明の詳細な説明】
【技術分野】
【０００１】
実施の形態は、断熱構造に特徴を持つ冷蔵庫扉に関する。
【背景技術】
【０００２】
近年、扉前面に飾りのために着色したガラス製や透明プラスチック製の化粧板を前面板として取り付けた冷蔵庫扉を備えた冷蔵庫が出現している。一方、冷蔵庫扉の厚さを薄くし、かつ断熱性を維持しあるいは高めるために断熱材を内部に組入れた断熱構造の冷蔵庫扉も出現している。
【０００３】
このような冷蔵庫扉では、組立工程を簡素化でき、かつ断熱材を傷つけない断熱構造であることが望まれている。
【先行技術文献】
【特許文献】
【０００４】
【特許文献１】特開２０１１−５８７８７号公報
【特許文献２】特開２０１２−２０７８５７号公報
【発明の概要】
【発明が解決しようとする課題】
【０００５】
本発明は、上記の技術的課題に鑑みてなされたもので、扉厚を薄くし、断熱性を維持しあるいは高めることができ、組立工程を簡素化でき、かつ断熱材を傷つけない断熱構造を備えた冷蔵庫扉を提供することを目的とする。
【課題を解決するための手段】
【０００６】
実施の形態の冷蔵庫扉は、扉フレームと、前記扉フレームに取り付けられた前面板と、前記扉フレーム内にその前面が前記前面板の裏面と対向するように配置された構造体と、前記構造体の後面側に配置された第一断熱材と、前記第一断熱材と前記構造体との間に配置された第二断熱材とを備え、前記扉フレームの側面に前記構造体に連通する開口部を有したものである。
【図面の簡単な説明】
【０００７】
【図１】第１の実施の形態の冷蔵庫扉を組付けた冷蔵庫の正面図。
【図２】第１の実施の形態の冷蔵庫扉を組付けた冷蔵庫の冷蔵室扉を開いた状態の斜視図。
【図３】第１の実施の形態の冷蔵庫扉の斜視図。
【図４】第１の実施の形態の冷蔵庫扉の裏面側から見た斜視図。
【図５】第１の実施の形態の冷蔵庫扉における扉フレームと前面板との分解斜視図。
【図６】第１の実施の形態の冷蔵庫扉における扉フレームの背面側から見た斜視図。
【図７】第１の実施の形態の冷蔵庫扉における成形断熱材の背面側から見た斜視図。
【図８】第１の実施の形態の冷蔵庫扉における成形断熱材の正面側から見た斜視図。
【図９】第１の実施の形態の冷蔵庫扉における成形断熱材、保護シート及び真空断熱材の組み立て方を示す分解斜視図。
【図１０】第１の実施の形態の冷蔵庫扉における断熱材組体の斜視図。
【図１１】第１の実施の形態の冷蔵庫扉における中側フレームに断熱材組体を組込む方法を示す分解斜視図。
【図１２】第１の実施の形態の冷蔵庫扉における扉基体の斜視図。
【図１３】第１の実施の形態の冷蔵庫扉における扉基体の背面側から見た斜視図。
【図１４】第１の実施の形態の冷蔵庫扉における扉フレームに扉基体を組付ける方法を示す分解斜視図。
【図１５】第１の実施の形態の冷蔵庫扉における前面板、扉フレーム、断熱材組体の部分を示す断面図。
【図１６】第２の実施の形態の冷蔵庫扉における成形断熱材、保護シート及び真空断熱材の組み立て方を示す分解斜視図。
【図１７】第２の実施の形態の冷蔵庫扉において内側フレームに対する真空断熱材、保護シート及び成形断熱材の組付け方を示す分解斜視図。
【図１８】第２の実施の形態の冷蔵庫扉において扉基体に対する扉フレームの組付け方を示す分解斜視図。
【図１９】第２の実施の形態の冷蔵庫扉の斜視図。
【図２０】第３の実施の形態の冷蔵庫扉における扉フレームの部分の分解斜視図。
【図２１】第３の実施の形態の冷蔵庫扉における前面板、扉フレーム、断熱材組体の部分を示す断面図。
【発明を実施するための形態】
【０００８】
以下、実施の形態を図に基づいて詳説する。尚、同一若しくは類似する構成部材については、同一若しくは類似する符号を用いて説明する。
【０００９】
［第１の実施の形態］
図１、図２は冷蔵庫１を示している。冷蔵庫１は、冷蔵庫本体であるキャビネット１１を備えている。キャビネット１１は、上段から冷蔵室１２、野菜室１３、庫内設定温度を切り換えることができる切替室１４、冷凍室１５とより構成されている。また切替室１４の左側には製氷室１６が設けられている。
【００１０】
冷蔵室１２の前面開口部を覆うために、左右一対の扉２１，２２がそれぞれ左端部、右端部の上下をヒンジ部３１，３２にて観音開き式に開閉するように取り付けられている。また、野菜室１３、切替室１４、冷凍室１５、製氷室１６には引出し式の扉２３，２４，２５，２６それぞれが設けられている。尚、野菜室１３の背面には、図示していないが、冷蔵室１２と野菜室１３とを冷却するための冷蔵用蒸発器が配され、切替室１４及び冷凍室１５の背面には、同じく図示していないが、切替室１４、冷凍室１５、製氷室１６を冷却するための冷凍用蒸発器が配されている。さらに、野菜室１３の背面には、この冷蔵庫１を制御するためのマイクロコンピュータよりなる制御部も配されている。左扉２１の右端部、つまり、扉閉状態で右扉２２の左端部に近接して対向する部分には、右扉２２とのシール状態を保持するための回転仕切り体６１が設けられている。
【００１１】
左扉２１、右扉２２、野菜室１３、切替室１４、冷凍室１５、製氷室１６それぞれの引出し式の扉２３，２４，２５，２６は、前面に開口する扉フレームの開口部に着色透明のガラス製あるいは透光性プラスチック製の化粧板でなる前面板を取り付け、かつ内部に成形断熱材と真空断熱材を積層するように埋め込んだ構造である。
【００１２】
この実施の形態の冷蔵庫扉では、右扉２２の前面板の裏側には、前面板の表からのタッチ操作により冷蔵庫の冷却動作を操作するための静電容量式の操作入力部５１が取り付けられている。この操作入力部５１には、冷蔵庫周囲の環境状態を検出するための赤外線受光部、ホームボタン、このホームボタンへのタッチを検知し、操作ボタン名、冷却機能名、冷却強度等を透過表示するＬＥＤ表示灯、温度値等の変化する数値を透過表示する７セグメントＬＥＤ表示装置等が設けられている。また上記の扉２１〜２６それぞれには、把手２１Ａ〜２６Ａそれぞれが設けられている。
【００１３】
以下、冷蔵庫１の左扉２１、右扉２２、野菜室１３、切替室１４、冷凍室１５、製氷室１６それぞれの引出し式の扉２３，２４，２５，２６を特別に区別する必要がない場合には冷蔵庫扉１０１と呼称し、その構造について説明する。尚、縦横の寸法比については、図１、図２に示した冷蔵庫１の扉２１〜２６それぞれに対応して異なったものであるが、以下では、寸法比を無視し、主に内部構造について説明する。
【００１４】
図３、図４に示すように、冷蔵庫扉１０１は、前側の扉フレーム１１１の前面開口部にその前面開口部を塞ぐように、ガラス製若しくはプラスチック製の化粧板の前面板１１２を取り付けて構成されている。扉フレーム１１１の背面側には、冷蔵庫扉１０１の背面を構成する背面部である扉基体１３５が組付けられている。
【００１５】
以下に、この冷蔵庫扉１０１をその製造工程と共に説明する。ただし製造工程は特に順序が限定されるわけではなく、例示である。図５に前面板１１２を扉フレーム１１１の前面開口部に取り付ける方法を示している。扉フレーム１１１は枠体であり、その前面開口部の内側面の前面板１１２の厚み分だけ低い位置に内側に張り出すように内凸縁部１１５が形成してあり、その前面に両面テープのような接着部材１１６を接着し、その接着部材１１６の上に前面板１１２の裏面を接着することにより取り付けている。尚、接着部材１１６には接着剤を用いることもできる。また、扉フレーム１１１は辺毎に分割され、それぞれの辺に溝を付けてその溝に前面板１１２をはめ込んでもよい。
【００１６】
図５、図６に示すように、扉フレーム１１１には、内凸縁部１１５と共に、立体の溝空間により形成される、操作部や把手を収納するための収納部１１７が構造体として形成されている。この収納部１１７は扉フレーム１１１の一側面に開口させてある。この開口部１１８により、この収納部１１７に図１、図２に示す電気部品である操作入力部５１や把手２１Ａ，２２Ａの部品を開口部１１８から挿入して設置することができる。また、把手の場合には、部品を挿入しなくてもよく、溝空間のままで、ユーザが開口部１１８に手を差し入れることで図１、図２に示す把手２１Ａ，２２Ａとしてもよい。
【００１７】
この扉フレーム１１１において内凸縁部１１５が囲む穴部１１９とその下方の当該扉フレーム１１１の前面開口部までの空間１２０に後述する成形断熱材１２１や真空断熱材１２６が収容される。
【００１８】
図７、図８には、扉フレーム１１１の内側の空間１２０に詰め込む成形断熱材１２１を示している。この成形断熱材１２１は、液を注入し発泡させて充填するウレタン発泡材ではなく、予め空間１２０の形状に一致する形状に成形した発泡系断熱材（ＥＰＳ）である。この成形断熱材１２１の表側には、扉フレーム１１１側の収納部１１７に対応する形状に凹んだ凹部１２２ａが形成してある。また、扉フレーム１１１の内部の前面の前面板１１２の周縁部を支持する内凸縁部１１５の内側の穴部１１９に嵌まり込んでその穴部１１９を埋めることができる形状の凸段部１２２ｂも形成してある。さらに、成形断熱材１２１の裏面側の周囲には、後述するようにその中に板状の真空断熱材１２６を浅く嵌め入れて位置決めすると共に周囲を保護するための壁部１２３ａが形成してあり、この壁部１２３ａで周囲が囲まれた中側が凹部１２３ｂとなっている。
【００１９】
図９、図１０に示すように、成形断熱材１２１の裏面側の凹部１２３ｂに保護シート１２５を入れて成形断熱材１２１の裏面側に接着し、さらに真空断熱材１２６を嵌め入れ、重ねて接着する。この保護シート１２５にはＰＥＴフィルム、ウレタンシートを用いることができる。尚、保護シート１２５は真空断熱材１２６を直接に成形断熱材１２１の裏面側に重ねて接着すれば何らかの突起部や突起物により傷つく恐れがある場合に使用するものであり、傷つくおそれがなくて必要がなければ用いない場合もある。ここでこれら、成形断熱材１２１に保護シート１２５と真空断熱材１２６を接着したものを断熱材組体１２７と称する。
【００２０】
図１１〜図１３に示すように、成形断熱材１２１に真空断熱材１２６を組み込んで構成される上記の断熱材組体１２７は、冷蔵庫扉１０１の中側フレーム１３０の前面開口部１３１に組み込まれる。
【００２１】
この中側フレーム１３０は、枠部１３０ａとこの枠部１３０ａから内側に延びるフランジ部１３０ａ１と冷蔵室等の内部に延びる土手部１３０ｂと、フランジ部１３０ａ１から一段凹んでいる底面部１３２とにより構成され、土手部１３０ｂと枠部１３０ａとの間には全周に亘って外側に突出する突起形状を有する固定部１３０ｃを備えている。
【００２２】
前述の断熱材組体１２７は、その真空断熱材１２６側がこの中側フレーム１３０の前面開口部１３１に組み込まれる。その際、扉フレーム１２１の周囲の壁部１２３ａが中側フレーム１３０の枠部１３０ａの内側に入り込み、壁部１２３ａの先端面がフランジ部１３０ａ１に当接する。また、フランジ部１３０ａ１の内側に形成されている底面部１３２に、壁部１２３ａより一段突出した真空断熱材１２６の裏面側（図１１、図１２において下面側）を接着する。
【００２３】
このようにして、断熱材組体１２７を中側フレーム１３０の前面開口部１３１に組み込み、真空断熱材１２６の裏面側（図１１、図１２において下面側）を中側フレーム１３０の底面部１３２に接着することにより、図１２、図１３に示す扉基体１３５が組み立てられる。ここで真空断熱材１２６の裏面側を中側フレーム１３０の底面部１３２に接着する場合にも、保護シートを底面部１３２と真空断熱材１２６との間に介在させることができる。
【００２４】
図１４に示すように、こうして組み立てられた扉基体１３５に対して、前面板１１２の取り付けられた扉フレーム１１１を前側から合体させる。すなわち、扉フレーム１１１の内側に中側フレーム１３０の枠部１３０ａを挿入し、中側フレーム１３０の外周に突出している固定部１３０ｃを扉フレーム１１１の先端面に当接させることで位置決めし固定することにより、図３、図４の斜視図、図１５の断面図に示す冷蔵庫扉１０１の組み立てが完成する。
【００２５】
図３、図４、図１５に示すように、本実施の形態の冷蔵庫扉１０１は、前側の扉フレーム１１１の前面開口部にその前面開口部を塞ぐように、ガラス製若しくはプラスチック製で透光性のある化粧板の前面板１１２を取り付けて構成されている。扉フレーム１１１は枠体であり、その前面開口部の内側面の前面板１１２の厚み分あるいはその半分ほど低い位置に内側に張り出すように内凸縁部１１５が形成してあり、その前面に両面テープのような接着部材１１６を接着し、その接着部材１１６の上に前面板１１２の裏面を接着して取り付けてある。扉フレーム１１１にはまた、内凸縁部１１５と共に、操作部や把手を収納するための収納部１１７が構造体として形成されている。この収納部１１７は扉フレーム１１１の一側面の開口部１１８に連通するように開口している。
【００２６】
扉フレーム１１１の内側の空間１２０には、予めその空間１２０の形状に一致する形状に成形した成形断熱材１２１が配置してある。この成形断熱材１２１の表側には、扉フレーム１１１側の収納部１１７に対応する形状に凹んだ凹部１２２ａが形成してあり、また、扉フレーム１１１の内部の前面の前面板１１２の周縁部を支持する凸縁部１１５の内側に形成される穴部１１９に嵌まり込んでその穴部１１９を埋める形状の凸段部１２２ｂも形成してあり、さらに真空断熱材１２６の前面と構造体１１７の後側面との間に介在するように薄肉部１２２ｃも形成している。さらに、成形断熱材１２１の裏面側の周囲には、その中に板状の真空断熱材１２６を浅く嵌め入れて位置決めすると共に周囲を保護するための壁部１２３ａが形成してあり、この壁部１２３ａで周囲が囲まれた中側が凹部１２３ｂとなっている。この成形断熱材１２１の凹部１２３ｂに保護シート１２５を入れて成形断熱材１２１の裏面側に接着し、さらに真空断熱材１２６を嵌め入れ、保護シート１２５に重ねて接着している。これら、成形断熱材１２１に保護シート１２５と真空断熱材１２６を接着したものを断熱材組体１２７と称している。そしてこの断熱材組体１２７は、冷蔵庫扉１０１の中側フレーム１３０の前面開口部１３１に組み込まれている。つまり、中側フレーム１３０の枠部１３０ａの内側に組み込まれている。
【００２７】
本実施の形態の冷蔵庫扉１０１によれば、組み立てにおいて図１１，１２に見られる成形断熱材１２１の把手あるいは操作入力部等の構造体の収納部１１７のために形成された凹部１２２に扉フレーム１１１の収納部１１７が嵌まり込み、収納部１１７と真空断熱材１２６との間に成形断熱材１２１が介在することにより収納部１１７が直接に真空断熱材１２６に接触しない構造となっている。そのため、真空断熱材１２６が扉フレーム１１１の突起部やバリなどに接触して破れて断熱機能を損なうのを防ぎ、断熱性能に優れた冷蔵庫扉を実現できる。
【００２８】
また、扉フレーム１１１の内部の前面の前面板１１２の周縁部を支持する内凸縁部１１５の内側に形成される穴部１１９には成形断熱材１２１の表面に予め形成した凸段部１２２ｂが入り込んでその穴部１１９を埋めることになり、前面板１１２の裏面を内凸縁部１１５とこの凸段部１２２ｂにより面で支持し、穴部１１９の断熱性を高めると共に前面板１１２の裏面からの支持を安定させることができる。尚、成形断熱材１２１の表面に凸段部１２２ｂを予め形成するのではなく、成形断熱材１２１として比較的柔軟な材質のものを採用し、扉フレーム１１１の内凸縁部１１５の内側に形成される穴部１１９にその成形断熱材１２１が押し付けられて変形して穴部１１９に入り込み、その穴部１１９を埋めるようにすることによっても、前面板１１２の裏面を凸縁部１１５とこの変形により形成された凸段部により面で支持し、穴部１１９の断熱性を高めると共に前面板１１２の裏面からの支持を安定させることができる。
【００２９】
［第２の実施の形態］
図１６〜図１９を用いて、第２の実施の形態の冷蔵庫扉１０１について説明する。本実施の形態の特徴は、成形断熱材１２１にある。尚、保護シート１２５、真空断熱材１２６は第１の実施の形態と同様であり、また第１の実施の形態と同一あるいは類似する符号は同一あるいは類似する部材である。
【００３０】
成形断熱材１２１には、第１の実施の形態の凹部１２２ａに該当する部分に、構造体の周囲を取り囲める形状の切欠部１２２Ａが形成されている。そしてこの切欠部１２２Ａの切り口の厚みは構造体の厚みよりも若干厚くし、後述するように真空断熱材１２６を凹部１２３ｂに配置した状態で扉基体１３５に組み付け、また扉フレーム１１１を前側から組付けた状態で、真空断熱材１２６が直接に構造体やその突起物に接触しないようにしている。
【００３１】
図１７に示すように、中側フレーム１３０には、成形断熱材１２１を組み入れたときに切欠部１２２Ａが来る箇所に対応してフレーム切欠部１４１が形成してある。また、図１８に示すように、扉フレーム１１１には、中側フレーム１３０のフレーム切欠部１４１に対応する箇所に挿入用穴１４２が形成してある。
【００３２】
次に、本実施の形態の冷蔵庫扉１０１の構造を、その組み立て方と共に説明する。尚、組み立て方は例示であって、他の方法での組み立ても可能であり、図示のものに限定されることはない。
【００３３】
図１６に示す形状、構成の成形断熱材１２１、保護シート１２５、真空断熱材１２６を用意し、また、図１７に示す中側フレーム１３０、図１８に示す扉フレーム１１１を用意する。そして、図１７に示すように、中側フレーム１３０の底面部１３２に真空断熱材１２６を挿入し、次に保護シート１２５を挿入して真空断熱材１２６に接着し、続いて成形断熱材１２１を挿入して保護シート１２５に接着する。こうして図１８に示すように、冷蔵庫１の内側に来る扉基体１３５を組み立てる。この扉基体１３５では、中側フレーム１３０のフレーム切欠部１４１の位置に成形断熱材１２１の切欠部１２２Ａが来て連通する。続いて、図１８に示すように、扉基体１３５の前面に扉フレーム１１１を組み付ける。こうして図１９に示す本実施の形態の冷蔵庫扉１０１の組み立てが完成する。
【００３４】
図１９に示すように、完成した冷蔵庫扉１０１では、扉フレーム１１１に開けられている挿入用穴１４２が、中側フレーム１３０のフレーム切欠部１４１と成形断熱材１２１の切欠部１２２Ａに連通するようになる。したがって、冷蔵庫扉１０１に図１、図２に示した操作入力部５１のような箱形の電子部品を組み付ける場合に、箱形の操作入力部５１をこの扉フレーム１１１の挿入用穴１４２から切欠部１２２Ａに挿入して直接に設置することができる。そしてこの組み付け作業時や組み付け後は、図１、図２に示した操作入力部５１のような構造体の突起その他の鋭利な部分が真空断熱材１２６に直接に接触して真空断熱材１２６を破損させる恐れがない。
【００３５】
尚、第２の実施の形態においても、挿入用穴１４２の奥の成形断熱材１２１の切欠部１２２Ａはそのままユーザが手を差し入れて引き出すための把手とすることもできる。また、把手ユニットを挿入して設置することも可能である。
【００３６】
［第３の実施の形態］
次に、図１、図２、図２０、図２１を参照して、静電容量式の操作入力部５１と扉２２との関係性の構造例を説明する。図２０は特に収納部１１７に特徴を有する扉フレーム１１１の変更例を示し、図２１は静電容量型の電極などの有する静電容量式の操作入力部５１をこの収納部１１７に収容した図１における冷蔵室右扉２２の横断面図を示している。尚、第１、第２の実施の形態と同一あるいは類似する部材については、それらの実施の形態で用いた符号と同一あるいは類似する符号を用いて示している。
【００３７】
図２０に示すように、扉フレーム１１１の収納部１１７には、前面板１１２に対向する箇所に開口部１１７ａを形成してある。その他は、図５に示した第１の実施の形態の扉フレーム１１１と同様であり、同一の部材は同一の符号によって示してある。
【００３８】
図２１に示す左側扉フレーム１１１ａは、扉２２の上下方向（図２１の紙面垂直方向）に設けられた左側の装飾部であり、右側扉フレーム１１１ｂは、扉２２の上下方向に設けられた右側の装飾部である。この図２１に示すように、前面板１１２の一端部は、左側扉フレーム１１１ａによって全面的には覆われておらず、左側扉フレーム１１１ａから露出された状態になっているほぼむき出し状態の端部である。前面板１１２の端部側面の前側部分には、Ｒ面が形成されており、直角形状にはなっていない。このＲ面は、例えば１／４円周形状のＲ面である。
【００３９】
図２１に示すように、左側扉フレーム１１１ａの側面には、開口部１１８が設けられている。この開口部１１８は貫通穴であり、左側扉フレーム１１１ａの外側から、収納部１１７の内部に操作入力部５１を構成する基板５１ａを挿入するために設けられている。基板５１ａは、静電容量型の電極スイッチ５１ｂと冷蔵庫の情報を外部に通信したり、他の情報を外部から受信したりする通信手段５１ｃを搭載している。収納部１１７は、左側扉フレーム１１１ａに一体で形成されていて、箱形状を構成していて、内凸縁部１１５から延長して形成されていると共に前面に開口部１１７ａが設けられている。そしてこの収納部１１７は、基板５１ａを収納可能な収納部を構成する部材であって、開口部１１８には蓋を設け、蓋で閉じることで収納部を密閉するように構成することができる。尚、この収納部１１７の周囲に良熱伝導性のアルミなどの金属を設けたり、内部に補強用の金属を配置することで結露を防止することができる。
【００４０】
操作入力部５１の基板５１ａは、バネのような弾性手段５１ｄを用いて収納部１１７側から開口部１１７ａを介して前面板１１２の裏面１１２Ｍに対して押し付けることで、裏面１１２Ｍに対して密着して保持するようになっている。基板５１ａは、前面板１１２の支持部となる内凸縁部１１５とは異なる位置に固定されることになる。
【００４１】
このように収納部１１７に開口部１１７ａを形成することにより、静電容量型のスイッチ５１ｂを有する基板５１ａは、左側扉フレーム１１１ａの内凸縁部１１５を避けて、前面板１１２の裏面１１２Ｍに密着して固定することができる。このため、静電容量型のスイッチ５１ｂは、前面板１１２の裏面１１２Ｍに隙間を空けることなく押し付けて配置できるので、使用者は、前面板１１２の表面から静電容量型のスイッチ５１ｂのオンオフ操作を確実に行える。
【００４２】
また静電容量型のスイッチ５１ｂを前面板１１２の裏面１１２Ｍに隙間を空けることなく押し付ける方法としては、弾性手段でなく、後方から前方に基板５１ａを移動させるガイド手段を設けてもよく、例えば収納部を基板の挿入方向に向かった狭くなるように傾斜を設けたり、基板５１ａに設けた突起が収納部に設けたガイド溝に挿入されてガイドされることで押し付けるようにしたりしてもよい。
【００４３】
またこの基板５１ａには他にも冷蔵庫周囲の環境状態を検出ための赤外線受光部、操作ボタン名、冷却機能名、冷却強度等を透過表示するＬＥＤ表示灯、温度値等の変化する数値を透過表示する７セグメントＬＥＤ表示装置等を設けてもよい。
【００４４】
また基板５１ａはその基板を支持する支持容器に配置された構成でも良く、この支持容器内に発光手段であるＬＥＤを配置し、基板の裏面からＬＥＤを発光させるとよい。
【００４５】
尚、静電容量型のスイッチは裏面に配置されたＬＥＤ基板の表面に電極が配置されることで一体型になっていてもよく、ＬＥＤを配置した基板とは別に、他の基板に設けてもよい。その基板は弾性を有するフィルム状の透明フィルムに静電容量型のスイッチの電極を設けるとよい。そうするとＬＥＤを透明電極の背面に配置することができ、電極の裏側から発光させることができる。
【００４６】
このように、本実施の形態の冷蔵庫扉１０１によれば、扉フレーム１１１、この扉フレーム１１１の前面側に取り付けられた前面板１１２、扉フレーム１１１内にその前面が前面板１１２の裏面と対向するように配置された構造体１１７、この構造体１１７の後面側に配置された平板状の真空断熱材１２６、この真空断熱材１２６の前面と前面板１１２の裏面と構造体１１７の外側面によって囲まれた空間１２０に配置された成形断熱材１２１を備えた構造である。これにより、扉フレーム１１１の内部の空間１２０に成形断熱材１２１と真空断熱材１２６を略隙間なく配置することができ、冷蔵庫扉１０１の断熱性を高めることができる。
【００４７】
また本実施の形態の冷蔵庫扉１０１では、成形断熱材１２１に前記空間１２０に嵌め込むことのできる所定の形状に予め成形されたプラスチック断熱材を用いており、これにより、空間１２０への配置が確実に行え、製造時間の短縮、また断熱特性の向上が図れる。
【００４８】
また、成形断熱材１２１を空間１２０に配置した状態で、成形断熱材１２１の凹部１２２ａに構造体１１７を嵌まり込ませ、真空断熱材１２６の前面と対面する構造体１１７の後側面との間に成形断熱材１２１の薄肉部１２２ｃを介在させた構造にすることにより、真空断熱材１２６が構造体１１７の鋭い角部やバリに引掛って破損し、その断熱特性を損なうのを確実に防止できる。
【００４９】
また、扉フレーム１１１の内側面に、前面板１１２の周縁部を裏面側から支持する内凸縁部１１５を形成して前面板１１２の裏面周縁部を当該内凸縁部１１５によって裏面側から支持させ、成形断熱材１２１の前面部には、内凸縁部１１５の内周面が取り囲む穴部１１９を埋める形の凸段部１２２ｂを設け、成形断熱材１２１は、真空断熱材１２６の前面と前面板１１２の裏面との間の空間１２０に挿入し、かつ、凸段部１２２ｂに内凸縁部１１５の内周面が取り囲む穴部１１９を埋めさせ、内凸縁部１１５の前面側と凸段部１２２ｂの前面部とで前面板１１２の裏面を面支持させる構造とすることができ、これにより、前面板１１２をその裏面側から内凸縁部１１５と凸段部１２２ｂで面支持することができ、前面板１１２の確実な取付けが可能となる。
【００５０】
尚、本実施の形態でも、扉フレーム１１１の内側面に前面板１１２の周縁部を裏面側から支持する内凸縁部１１５を形成して前面板１１２の裏面周縁部を当該内凸縁部１１５によって裏面側から支持させ、成形断熱材１２１は真空断熱材１２６の前面と前面板１１２の裏面との間の空間１２０に挿入し、かつ、内凸縁部１１５の内周面が取り囲む穴部１１９を埋めるように当該成形断熱材１２１の前面部を変形させて凸段部１２２ｂにすることもでき、その場合にも、前面板１１２をその裏面側から内凸縁部１１５と凸段部１２２ｂで面支持することができ、前面板１１２の確実な取付が可能であり、しかも、成形断熱材１２１の予め成形する形状を単純化できて生産性を良くすることができる。
【００５１】
また尚、上記各実施の形態では、観音開き扉２１，２２を備えた冷蔵庫１について説明したが、シンプルな構造としては、冷蔵室の前方に左開き若しくは右開きの片開き１枚の扉を配置した構成の冷蔵庫についても、その扉の構造として上記実施の形態のものを採用することができる。
【符号の説明】
【００５２】
１  冷蔵庫
１１  キャビネット
１２  冷蔵室
２１  左扉
２１Ａ  把手
２２  右扉
２２Ａ  把手
２３〜２６  扉
２３Ａ〜２６Ａ  把手
５１  操作入力部
１０１  扉
１１１  扉フレーム
１１２  前面板
１１５  内凸縁部
１１７  収納部
１１７  開口部
１１８  フレーム開口部
１１９  穴部
１２１  成形断熱材
１２２ａ  凹部
１２２ｂ  凸段部
１２２ｃ  薄肉部
１２２Ａ  切欠部
１２５  保護シート
１２６  真空断熱材
１２７  断熱材組体
１３０  中側フレーム
１３５  扉基体
１４１  フレーム切欠部
１４２  挿入用穴
【図１】
2020030044.tif 000003
【図２】
2020030044.tif 000004
【図３】
2020030044.tif 000005
【図４】
2020030044.tif 000006
【図５】
2020030044.tif 000007
【図６】
2020030044.tif 000008
【図７】
2020030044.tif 000009
【図８】
2020030044.tif 000010
【図９】
2020030044.tif 000011
【図１０】
2020030044.tif 000012
【図１１】
2020030044.tif 000013
【図１２】
2020030044.tif 000014
【図１３】
2020030044.tif 000015
【図１４】
2020030044.tif 000016
【図１５】
2020030044.tif 000017
【図１６】
2020030044.tif 000018
【図１７】
2020030044.tif 000019
【図１８】
2020030044.tif 000020
【図１９】
2020030044.tif 000021
【図２０】
2020030044.tif 000022
【図２１】
2020030044.tif 000023